(57)【要約】【課題】公営競技において利用者が所持する硬貨の量の削減を図ることができる。【解決手段】発払装置１０は、制御部１１と、券受付部１２と、媒体受付部１３と、現金処理部１４と、表示受付部１５と、入場券処理部１６と、記憶部１７とを備える。券受付部１２は、的中投票券２０を受け付ける。媒体受付部１３は、的中投票券２０に対する払い戻し金額を電子的に記録する電子通貨記録媒体３０を受け付ける。制御部１１は、払い戻し金額のうち千円未満の金額を電子通貨記録媒体３０に記録するよう媒体受付部１３に指示し、払い戻し金額のうち千円以上の金額を紙幣で払い戻すよう現金処理部１４に指示する。【選択図】図１
2020052877.tif 000002
【特許請求の範囲】
【請求項１】
的中投票券を受け付ける券受付部と、
前記的中投票券に対する払い戻し金額を電子的に記録する電子通貨記録媒体を受け付ける媒体受付部と、
前記払い戻し金額のうち千円未満の金額を前記電子通貨記録媒体に記録するよう前記媒体受付部に指示し、前記払い戻し金額のうち千円以上の金額を紙幣で払い戻すよう現金処理部に指示する制御部と、
を備える発払装置。
【請求項２】
前記発払装置は、
利用者に対して画面を表示し、前記利用者から入力を受け付ける表示受付部と、
入場券を印刷および排出する入場券処理部とを備え、
前記制御部は、
前記電子通貨記録媒体に記録された金額と前記入場券とを交換するか否かを選択する画面の表示を前記表示受付部に指示し、
前記電子通貨記録媒体に記録された金額と前記入場券とを交換する旨の入力を前記表示受付部を介して受け付け、
前記払い戻し金額のうち千円未満の金額と前記入場券の金額との差額が存在する場合、前記差額分の硬貨を投入する指示を前記表示受付部に表示させ、
前記現金処理部を介して前記差額分の硬貨を受け付け、受け付けた前記硬貨の金額を前記電子通貨記録媒体に記録し、
前記電子通貨記録媒体に記録された金額のうち千円未満の金額が前記入場券の金額と同額になった場合、前記入場券の印刷および排出を前記入場券処理部に指示する、
請求項１記載の発払装置。
【請求項３】
前記発払装置は、
利用者に対して画面を表示し、前記利用者から入力を受け付ける表示受付部と、
入場券を印刷および排出する入場券処理部とを備え、
前記制御部は、
前記電子通貨記録媒体に記録された金額と前記入場券とを交換するか否かを選択する画面の表示を前記表示受付部に指示し、
前記電子通貨記録媒体に記録された金額と前記入場券とを交換する旨の入力を前記表示受付部を介して受け付け、
前記入場券の金額が百円未満であり、前記払い戻し金額のうち百円未満の金額と前記入場券の金額との差額が存在する場合、前記電子通貨記録媒体に記録された金額の百円未満の金額と前記入場券との差額分の十円硬貨を投入する指示を前記表示受付部に表示させ、
前記現金処理部を介して十円硬貨を受け付け、受け付けた前記十円硬貨の金額を前記電子通貨記録媒体に記録し、
前記電子通貨記録媒体に記録された金額のうち百円未満の金額が前記入場券の金額と同額になった場合、前記入場券の印刷および排出を前記入場券処理部に指示する、
請求項１記載の発払装置。
【請求項４】
前記発払装置は、
利用者に対して画面を表示し、前記利用者から入力を受け付ける表示受付部と、
入場券を印刷および排出する入場券処理部とを備え、
前記制御部は、
前記電子通貨記録媒体に記録された金額と前記入場券とを交換するか否かを選択する画面の表示を前記表示受付部に指示し、
前記電子通貨記録媒体に記録された金額と前記入場券とを交換する旨の入力を前記表示受付部を介して受け付け、
前記入場券の金額が千円未満かつ百円以上かつ百円単位の金額であり、前記払い戻し金額のうち千円未満かつ百円以上の金額と前記入場券の金額との差額が存在する場合、前記電子通貨記録媒体に記録された金額の千円未満かつ百円以上の金額と前記入場券との差額分の百円硬貨を投入する指示を前記表示受付部に表示させ、
前記現金処理部を介して百円硬貨を受け付け、受け付けた前記百円硬貨の金額を前記電子通貨記録媒体に記録し、
前記電子通貨記録媒体に記録された金額のうち千円未満の金額が前記入場券の金額と同額になった場合、前記入場券の印刷および排出を前記入場券処理部に指示する、
請求項１記載の発払装置。
【請求項５】
券受付部と媒体受付部と現金処理部と制御部とを備えた発払装置における発払方法であって、
前記券受付部は、的中投票券を受け付け、
前記媒体受付部は、前記的中投票券に対する払い戻し金額を電子的に記録する電子通貨記録媒体を受け付け、
前記制御部は、前記払い戻し金額のうち千円未満の金額を前記電子通貨記録媒体に記録するよう前記媒体受付部に指示し、前記払い戻し金額のうち千円以上の金額を紙幣で払い戻すよう前記現金処理部に指示する、
発払方法。
【発明の詳細な説明】
【技術分野】
【０００１】
本発明は、発払装置および発払方法に関する。
【背景技術】
【０００２】
従来から、競馬、競輪、競艇、オートレース等の公営競技場やその場外投票券売場等に設置される投票券を発売または払戻しを行う端末がある。たとえば、発券する投票券発売端末や、的中した投票券（的中投票券または的中券）を払い戻す払戻端末およびその両方の機能を備えた投票端末（投票券発払機または発払装置）が知られている。
【０００３】
投票端末を利用して投票する利用者（投票者）は、投票内容に応じてマークを記入した投票カードと現金とを投票端末に投入し、馬券等の投票券を購入することができる。また、利用者は、現金ではなく、チャージ金額等の記録を照合できるＩＣ（Integrated Circuit）カードや磁気カードを利用して投票を行うこともできる。利用者は、投票カードに投票内容を記入して投票券を購入する。また、利用者は、投票券が的中した場合、的中した投票券を端末に挿入し的中した金額の払い戻しを行う。
【０００４】
各種カードを利用したキャッシュレス投票を行う装置として、キャッシュレス投票端末装置が知られている。キャッシュレス投票端末装置は、入金精算機により現金がチャージされた会員カードにより投票を行う装置である。入金精算機は、現金による投票券の購入、的中投票券の払い戻し、会員カードによる的中券払戻金あるいは残金の精算、及び会員カードへの現金のチャージを行う装置である。
【先行技術文献】
【特許文献】
【０００５】
【特許文献１】特開２０１６−１１８８９０号公報
【発明の概要】
【発明が解決しようとする課題】
【０００６】
従来から、会員カードや口座を利用した投票券の購入や的中金額の払い戻しが知られているが、実際には現金で投票券の購入や的中金額の払い戻しを行う利用者が多い。これは、会員カードや口座を利用するためには、所定の情報提供をする必要があるため、手続きが煩わしく会員カードや口座の利用が敬遠されるためである。
【０００７】
このため、利用者は、公営競技場への入場や投票を行う場合に現金を持参し、公営競技場への入場に際して現金で入場券を購入する。公営競技場の入場券の金額は小額であるため、利用者は、入場券と同額の硬貨を所持しない場合には紙幣を支払い釣銭の硬貨を受け取る。また、利用者は、的中投票券の払い戻しを受けた場合、端末に的中投票券を挿入し、払い戻し金額を現金で受取る。払い戻し金額は、掛金やオッズ等に基づいて決定するため紙幣のみで返金可能な金額（千円単位）にはならず、利用者は、紙幣と硬貨を受取ることになる。
【０００８】
このように、公営競技場への入場、公営競技の投票および払い戻しにおいて硬貨を利用する頻度が高いため、利用者は、財布を圧迫する量の硬貨を所持することがあり、煩わしさを感じる場合もあった。
【０００９】
このため、公営競技において利用者が所持する硬貨の量を減らすことができる装置が望まれている。
一側面では、本発明は、公営競技において利用者が所持する硬貨の量の削減を図ることができる発払装置および発払方法を提供することを目的とする。
【課題を解決するための手段】
【００１０】
上記目的を達成するために、以下に示すような発払装置を提供する。発払装置は、券受付部と、媒体受付部と、制御部とを備える。券受付部は、的中投票券を受け付ける。媒体受付部は、的中投票券に対する払い戻し金額を電子的に記録する電子通貨記録媒体を受け付ける。制御部は、払い戻し金額のうち千円未満の金額を電子通貨記録媒体に記録するよう媒体受付部に指示し、払い戻し金額のうち千円以上の金額を紙幣で払い戻すよう現金処理部に指示する。
【発明の効果】
【００１１】
一態様によれば、公営競技において利用者が所持する硬貨の量の削減を図ることができる。
【図面の簡単な説明】
【００１２】
【図１】第１の実施形態の発払装置の構成の一例を示す図である。
【図２】第２の実施形態の投票システムの構成の一例を示す図である。
【図３】第２の実施形態の発払装置のハードウェア構成の一例を示す図である。
【図４】第２の実施形態の入場券金額管理情報の一例を示す図である。
【図５】第２の実施形態の発払装置における表示画面の一例を示す図である。
【図６】第２の実施形態の発払装置における表示画面および入場券の一例を示す図である。
【図７】第２の実施形態の払戻金集計処理のフローチャートの一例を示す図である（その１）。
【図８】第２の実施形態の払戻金集計処理のフローチャートの一例を示す図である（その２）。
【図９】第２の実施形態の同額硬貨入場券交換処理のフローチャートの一例を示す図である。
【図１０】第２の実施形態の入場券交換処理のフローチャートの一例を示す図である。
【発明を実施するための形態】
【００１３】
以下、図面を参照して実施の形態を詳細に説明する。
［第１の実施形態］
まず、第１の実施形態の発払装置の構成について図１を用いて説明する。図１は、第１の実施形態の発払装置の構成の一例を示す図である。
【００１４】
発払装置１０は、公営競技における投票処理や、公営競技における的中した投票券（的中投票券）の払い戻し処理を行う装置である。発払装置１０は、制御部１１と、券受付部１２と、媒体受付部１３と、現金処理部１４と、表示受付部１５と、入場券処理部１６と、記憶部１７とを備える。
【００１５】
なお、発払装置１０は、ホストコンピュータとネットワークを介して接続されているが、ホストコンピュータおよびネットワークの図示は省略する。以下の説明において、公営競技の一例として競馬を挙げて説明するが、それ以外の公営競技であってもよい。
【００１６】
制御部１１は、発払装置１０を制御する機能を備えるものであり、たとえば、プロセッサである。制御部１１は、表示受付部１５を介して受け付けた利用者からの指示や、各処理部が検知した状況に応じて発払装置１０を制御する。
【００１７】
券受付部１２は、的中投票券２０を受け付け、的中投票券２０に記載された情報を読み取り、読み取った情報を制御部１１に送信する。制御部１１は、券受付部１２から受信した情報と、ホストコンピュータから取得したレース情報やオッズ情報に基づき、的中投票券２０に対する払戻金を算出する。
【００１８】
媒体受付部１３は、電子通貨記録媒体３０を受け付け、電子通貨記録媒体３０が備える記憶部に記憶された金額を読み取る。
電子通貨記録媒体３０は、カード型の記憶媒体であり、接触型カードであってもよいし、非接触型のカードであってもよい。なお、電子通貨記録媒体３０は、記憶部を備えるが図示を省略する。電子通貨記録媒体３０は、的中投票券２０に対する払い戻し金額を電子的に記録する。電子通貨記録媒体３０は、利用者の会員登録や口座登録が不要なカードであり、発払装置１０を介して的中投票券２０の払戻金や現金等をチャージする（金額を集計して記憶部に記憶する）ことが可能なカードである。電子通貨記録媒体３０は、投票券の購入や、競馬場への入場券の購入や、競馬場内の売店における商品の購入に利用できるカードである。
【００１９】
現金処理部１４は、紙幣および硬貨の投入および排出を行う機能を備えている。現金処理部１４は、制御部１１の指示に従い、払戻金を現金で排出する。また、現金処理部１４は、利用者が投入する硬貨や紙幣を受け付ける。表示受付部１５は、画面を表示する機能と利用者からの操作入力を受け付ける機能とを備えており、たとえば、ディスプレイおよびタッチパネルである。
【００２０】
入場券処理部１６は、制御部１１の指示に従い、競馬場への入場券の印刷および排出を行う機能を備える。記憶部１７は、発払装置１０を機能させるために必要なプログラムや、投票処理や払戻処理に必要となるデータを記憶する記憶装置であり、たとえば、ハードディスクやメモリ等である。記憶部１７には、たとえば、オペレーティングシステムや、発払方法を実現するためのプログラム等が記憶される。
【００２１】
ここで、発払装置１０において払い戻しの動作について説明する。発払装置１０は、券受付部１２を介して利用者から挿入された的中投票券２０を受け付ける。また、発払装置１０は、媒体受付部１３を介して利用者から挿入された電子通貨記録媒体３０を受け付ける。制御部１１は、券受付部１２を介して的中投票券２０に記載された情報を取得し、ホストコンピュータからレース情報およびオッズ情報を取得し、的中投票券２０に対する払戻金を算出する。制御部１１は、的中投票券２０に対する払い戻し金額のうち千円未満の金額を電子通貨記録媒体３０に記録するよう媒体受付部１３に指示する。制御部１１は、払い戻し金額のうち千円以上の金額を紙幣で払い戻すよう現金処理部１４に指示する。
【００２２】
このようにして、発払装置１０は、払い戻し金額のうち千円未満の金額を電子通貨記録媒体３０に記録し、千円以上の金額を紙幣で払い戻すため、千円未満の金額を硬貨で払い戻す場合と比較して利用者が所持する硬貨の量の削減を図ることができる。
【００２３】
ここで、発払装置１０において入場券の発券の動作について説明する。制御部１１は、電子通貨記録媒体３０に記録された金額と入場券とを交換するか否かを選択する画面の表示を表示受付部１５に指示する。表示受付部１５は、電子通貨記録媒体３０に記録された金額と入場券との交換の要否を選択する画面を表示する。表示受付部１５は、電子通貨記録媒体３０に記録された金額と入場券とを交換する旨の入力を利用者から受け付け、制御部１１にその旨を送信する。制御部１１は、払い戻し金額のうち千円未満の金額と入場券の金額との差額が存在する場合、差額分の硬貨を投入する指示を表示受付部１５に表示させる。利用者は、表示受付部１５の表示を目視で確認し、硬貨を現金処理部１４に投入する。制御部１１は、現金処理部１４を介して差額分の硬貨を受け付け、受け付けた硬貨の金額を電子通貨記録媒体３０に記録する指示を媒体受付部１３に送信する。媒体受付部１３は、制御部１１の指示に従い電子通貨記録媒体３０に受け付けた硬貨の金額を記録する。なお、媒体受付部１３は、既に電子通貨記録媒体３０に金額が記録されている場合、既に記録された金額と受け付けた硬貨の金額とを合算した金額を電子通貨記録媒体３０に記録する。制御部１１は、電子通貨記録媒体３０に記録された金額のうち千円未満の金額が入場券の金額と同額になった場合、入場券の印刷および排出を入場券処理部１６に指示する。また、制御部１１は、これらの処理の後に媒体受付部１３から電子通貨記録媒体３０を排出する。利用者は、排出された入場券と電子通貨記録媒体３０とを受け取り、処理を終了する。
【００２４】
このように、発払装置１０は、電子通貨記録媒体３０に記録された金額のうち千円未満の金額と入場券の金額との差額がある場合は硬貨の投入を促す。また、制御部３１０は、硬貨の投入および入場券の販売を促進することにより、利用者の所持する硬貨の量の削減を図るとともに、再度の入場を促進することができる。また、制御部３１０は、払い戻し金額や投入された硬貨の金額を合算して電子通貨記録媒体３０に記録して、金額を増額することで、利用者に再度の投票参加を促進させてリピート率向上を図り、硬貨の量の削減を図ることができる。
【００２５】
このように、発払装置１０は、公営競技において利用者が所持する硬貨の量の削減を図ることができる。
［第２の実施形態］
次に、第２の実施形態の投票システムについて図２を用いて説明する。図２は、第２の実施形態の投票システムの構成の一例を示す図である。
【００２６】
投票システム１００は、発払装置３００と、ホストコンピュータ２００とがネットワーク２５０を介して接続する構成を有する。なお、投票システム１００は、複数の発払装置３００や複数のホストコンピュータ２００を備えることができる。投票システム１００は、競馬、競輪、競艇、オートレース等の公営競技の投票を処理するシステムである。以下の説明において、公営競技の一例として競馬を挙げて説明するが、その他の公営競技であってもよい。
【００２７】
発払装置３００は、図１に示した発払装置１０の一実施形態である。発払装置３００は、利用者から現金と投票カードを受け付け、投票券を販売する装置である。また、発払装置３００は、投票カードを投入される代わりにタッチパネル３０６を介して投票内容の入力を受け付けることで、投票券を販売することもできる。また、発払装置３００は、投票内容やチャージ金額等の記録を照合できるＩＣカードを利用して、キャッシュレスで投票を行うこともできる装置であってもよい。また、発払装置３００は、的中投票券を受け付け、的中した金額の払い戻しを行う装置である。また、発払装置３００は、利用者から現金やカードを受け付け、公営競技場の入場券を発売する装置である。なお、投票システム１００において、発払装置３００を一例として挙げたが、払戻専用装置であってもよい。
【００２８】
発払装置３００は、投票カード出入口３０１と、硬貨出入口３０２と、券／レシート排出口３０３と、紙幣出入口３０４と、ディスプレイ３０５と、タッチパネル３０６と、集計カード読取部３０７と、的中券挿入口３０８とを備える。なお、発払装置３００は、会員カード読取部を備えるが、記載を省略する。
【００２９】
投票カード出入口３０１は、利用者が投票したい内容を記入した投票カードの投入口である。なお、投票カード出入口３０１は、投票カードのマークに誤記（マークミス）がある場合に、投票カードを返却するための排出口としてもよい。
【００３０】
硬貨出入口３０２は、硬貨の投入口であり、返却する硬貨または釣銭の排出口でもある。券／レシート排出口３０３は、発券された投票券、入場券およびレシートの排出口である。なお、レシートは、会員カードを利用してキャッシュレスで投票を行った場合に、投票券の発行ではなく購入の控えとして発行されるものである。紙幣出入口３０４は、紙幣の投入口であり、返却する紙幣の排出口でもある。
【００３１】
ディスプレイ３０５は、タッチパネル３０６の下層に配置されており、操作案内、レース案内、投票カードの投票等の情報を表示する。タッチパネル３０６は、透過型のタッチパネルであり、各種の入力や投票内容の修正等の際に操作される。ディスプレイ３０５により表示された情報は、タッチパネル３０６を透過して、利用者から視認可能である。利用者は、ディスプレイ３０５により表示された情報を見ながら、タッチパネル３０６に対するタッチ操作を行うことができる。
【００３２】
集計カード読取部３０７は、挿入される集計カードを受け付け、集計カードから金額（集計カード内にチャージされた金額）を含む情報を読み取る。集計カードは、会員カードとは異なり、利用者の会員登録および口座登録が不要なカードであり、現金をチャージすることが可能なカードである。以下の説明において、集計カードは接触型カードであり、集計カード読取部３０７が挿入口から挿入された集計カードに記憶された情報を読み取る旨を説明する。
【００３３】
なお、集計カードは、非接触型のカードであってもよい。また、集計カード読取部３０７は、接触型カードの読み取り機能だけでなく、非接触型カードの読み取り機能を備えることができる。
【００３４】
的中券挿入口３０８は、利用者が的中した投票券（的中券）を投入する挿入口である。発払装置３００は、的中券挿入口３０８から挿入された的中券に印刷された情報を読み取り、ホストコンピュータ２００から取得した各種情報（レース情報、オッズ情報）に基づき払戻金額を算出し、払戻金額を利用者に払い戻す。
【００３５】
ホストコンピュータ２００は、システム全体を管理する管理装置であり、発払装置３００とネットワーク２５０を介して通信を行う。ホストコンピュータ２００は、発払装置３００に対し、投票券の発券や投票券の払い戻し等を管理するとともに、オッズの計算等を行う。また、ホストコンピュータ２００は、発払装置３００から投票カードに格納された情報を受け取り、投票に必要な処理を行う。また、ホストコンピュータ２００は、発払装置３００に対し、各場の出走情報やレース情報を送信する。
【００３６】
ネットワーク２５０は、たとえば、ＬＡＮ（Local Area Network）、ＷＡＮ（Wide Area Network）、インターネット等のネットワーク、あるいは、それらが混在するネットワークである。ネットワーク２５０は、有線ネットワークだけでなく、無線ネットワーク等も含む。
【００３７】
次に、第２の実施形態の発払装置のハードウェア構成について図３を用いて説明する。図３は、第２の実施形態の発払装置のハードウェア構成の一例を示す図である。
発払装置３００は、制御部３１０と、ディスプレイ３０５と、タッチパネル３０６と、紙幣還流ユニット３２１と、硬貨還流ユニット３２２と、券／レシート印刷ユニット３２３と、可搬型記録ユニット３２４と、投票カード読取ユニット３２５と、集計カード読取ユニット３２６と、的中券読取ユニット３２７とを備える。
【００３８】
発払装置３００は、ＣＰＵ（Central Processing Unit）３１１によって装置全体が制御されている。ＣＰＵ３１１には、バス３１７を介してＲＡＭ（Random Access Memory）３１２と複数の周辺機器が接続されている。ＣＰＵ３１１は、マルチプロセッサであってもよい。ＣＰＵ３１１は、たとえば、ＭＰＵ（Micro Processing Unit）、ＤＳＰ（Digital Signal Processor）、ＡＳＩＣ（Application Specific Integrated Circuit）、またはＰＬＤ（Programmable Logic Device）であってもよい。またＣＰＵ３１１は、ＣＰＵ、ＭＰＵ、ＤＳＰ、ＡＳＩＣ、ＰＬＤのうちの２以上の要素の組み合せであってもよい。
【００３９】
ＲＡＭ３１２は、発払装置３００の主記憶装置として使用される。ＲＡＭ３１２には、ＣＰＵ３１１に実行させるＯＳ（Operating System）のプログラムやアプリケーションプログラムの少なくとも一部が一時的に格納される。また、ＲＡＭ３１２には、ＣＰＵ３１１による処理に必要な各種データが格納される。
【００４０】
バス３１７に接続されている周辺機器としては、ＨＤＤ（Hard Disk Drive）３１３、通信インタフェース３１４、グラフィック処理ユニット３１５、入出力インタフェース３１６がある。
【００４１】
ＨＤＤ３１３は、内蔵したディスクに対して、磁気的にデータの書き込みおよび読み出しを行う。ＨＤＤ３１３は、発払装置３００の補助記憶装置として使用される。ＨＤＤ３１３には、ＯＳのプログラム、アプリケーションプログラム、および各種データが格納される。なお、補助記憶装置としては、フラッシュメモリ等の半導体記憶装置を使用することもできる。
【００４２】
通信インタフェース３１４は、ネットワーク２５０に接続されている。通信インタフェース３１４は、ネットワーク２５０を介して、ホストコンピュータ２００等の機器との間でデータの送受信を行う。
【００４３】
グラフィック処理ユニット３１５には、ディスプレイ３０５が接続されている。グラフィック処理ユニット３１５は、ＣＰＵ３１１からの命令に従って、画像をディスプレイ３０５に表示させる。ディスプレイ３０５としては、ＣＲＴ（Cathode Ray Tube）を用いた表示装置や液晶表示装置等がある。
【００４４】
入出力インタフェース３１６には、タッチパネル３０６と、紙幣還流ユニット３２１と、硬貨還流ユニット３２２と、券／レシート印刷ユニット３２３と、可搬型記録ユニット３２４と、投票カード読取ユニット３２５、集計カード読取ユニット３２６、的中券読取ユニット３２７とが接続されている。また、入出力インタフェース３１６は、可搬型記録ユニット３２４に対する情報の書き込み及び読み出しが可能な可搬型記録媒体インタフェースと接続可能になっている。
【００４５】
入出力インタフェース３１６は、タッチパネル３０６、紙幣還流ユニット３２１、硬貨還流ユニット３２２、券／レシート印刷ユニット３２３、可搬型記録ユニット３２４、投票カード読取ユニット３２５、集計カード読取ユニット３２６から送られてくる信号を、バス３１７を介してＣＰＵ３１１に送信する。また、入出力インタフェース３１６は、ＣＰＵ３１１から送られてくる制御信号を、バス３１７を介して対応するユニットへ送信する。
【００４６】
紙幣還流ユニット３２１は、紙幣の受け入れ、紙幣の真贋の鑑別、紙幣の収納、紙幣の返却、釣札の排出を行う。硬貨還流ユニット３２２は、硬貨の受け入れ、硬貨の真贋の鑑別、硬貨の収納、硬貨の返却、釣銭の排出を行う。券／レシート印刷ユニット３２３は、投票内容に基づき、投票券、入場券、レシートを印刷し発行する。
【００４７】
投票カード読取ユニット３２５は、投票カードから投票内容を読み取るユニットである。また、投票カード読取ユニット３２５は、投票カードの受け入れ、投票カードの排出を行う。集計カード読取ユニット３２６は、集計カードから残金等を含む情報を読み取るユニットである。的中券読取ユニット３２７は、的中券の受け入れ、的中券の読み取りを行う。
【００４８】
以上のようなハードウェア構成によって、第２の実施形態の処理機能を実現できる。なお、第１の実施形態に示した発払装置１０も、図２に示した発払装置３００と同様のハードウェアにより実現できる。なお、ホストコンピュータ２００も図３に示した発払装置３００の制御部３１０と同様の構成とできる。
【００４９】
発払装置３００は、たとえば、読み取り可能な記録媒体に記録されたプログラムを実行することにより、第二の実施形態の処理機能を実現する。発払装置３００に実行させる処理内容を記述したプログラムは、様々な記録媒体に記録しておくことができる。たとえば、発払装置３００に実行させるプログラムをＨＤＤ３１３に格納しておくことができる。ＣＰＵ３１１は、ＨＤＤ３１３内のプログラムの少なくとも一部をＲＡＭ３１２にロードし、プログラムを実行する。また発払装置３００に実行させるプログラムを、光ディスク、メモリ装置、メモリカード等の可搬型記録ユニット３２４に記録しておくこともできる。可搬型記録媒体に格納されたプログラムは、たとえばＣＰＵ３１１からの制御により、ＨＤＤ３１３にインストールされた後、実行可能となる。またＣＰＵ３１１が、可搬型記録媒体から直接プログラムを読み出して実行することもできる。
【００５０】
なお、上記の構成は一例であり、発払装置１０，３００およびホストコンピュータ２００の構成部の組み合せは適宜決定される。
次に、第２の実施形態の入場券金額管理情報について図４を用いて説明する。図４は、第２の実施形態の入場券金額管理情報の一例を示す図である。
【００５１】
入場券金額管理情報４００は、入場券の金額を管理する情報である。入場券金額管理情報４００は、システム管理者等によって発払装置３００のＨＤＤ３１３やＲＡＭ３１２等の記憶部に予め記憶される情報である。発払装置３００は、入場券金額管理情報４００に定義された情報を読み出し、金額の計算を行い、入場券の発券を行う。入場券金額管理情報４００は、支払種別、金額、入場券枚数の項目を含む。支払種別の項目には、支払方法の種別（現金、集計カード、口座等）が登録される。金額の項目には、入場券の金額が登録される。入場券枚数の項目には、購入する入場券の枚数が登録される。
【００５２】
ここで、入場券金額管理情報４００に登録されるエントリについて説明する。たとえば、入場券金額管理情報４００には、支払種別が「集計カード」、金額が「９０円」、入場券枚数が「１枚」という情報が登録される。これは、「集計カード」を用いて支払う場合、入場券「１枚」の金額が「９０円」であることを示す。
【００５３】
発払装置３００は、集計カードを用いた入場券１枚の購入処理を受け付けた場合、集計カードに記憶された金額から９０円を減額し、入場券１枚を排出する。言い換えると、発払装置３００は、集計カードのチャージ金額「９０円」と入場券「１枚」とを交換する処理を実行する。
【００５４】
なお、入場券の金額は、支払方法によって異なる。たとえば、現金で購入する場合は１枚が１００円だが、集計カードを用いて購入する場合は１枚が９０円である。また、入場券の金額は、公営競技場や日にち（お客様感謝デー等）に応じて異なる。また、入場券の割引金額は、入場券の購入枚数に応じて異なる。このため、システム管理者は、発払装置３００が設置される公営競技場の条件に応じて金額や入場券枚数の項目を設定する。
【００５５】
以下の説明において、集計カードを用いて入場券を購入した場合の入場券の金額の一例として「入場券１枚が９０円」、「入場券１０枚が９００円」を挙げて説明するが、それ以外の金額であってもよい。
【００５６】
次に、第２の実施形態の発払装置における表示画面について図５を用いて説明する。図５は、第２の実施形態の発払装置における表示画面の一例を示す図である。
発払装置３００は、ディスプレイ３０５に表示画面を表示する。発払装置３００は、的中券の払い戻しを行う際に、利用者が所持する硬貨の量を減らすことができるよう、硬貨の排出を回避し、集計カードに集計する（チャージする）ことができるように利用者に対して指示する画面を表示する。
【００５７】
図５（Ａ）は、集計選択画面５０１の一例である。集計選択画面５０１は、利用者が的中券を発払装置３００に挿入した後、払戻金額を集計カードに集計するか否かを選択する画面である。発払装置３００は、利用者から集計選択画面５０１において「はい」の選択（集計する旨の選択）を受け付けた場合、払戻金額を集計カードの記憶部に記憶することで集計（チャージ）する。また、発払装置３００は、利用者から集計選択画面５０１において「いいえ」の選択（集計しない旨の選択）を受け付けた場合、紙幣出入口３０４および硬貨出入口３０２を介して払戻金額を現金で排出する。
【００５８】
なお、集計選択画面５０１には、「集計カードに集計しますか」というメッセージが表示されているが、「集計カードに払戻金をチャージしますか」等の同様の意味の他のメッセージであってもよい。
【００５９】
図５（Ｂ）は、全額確認画面５０２の一例である。全額確認画面５０２は、利用者が的中券を発払装置３００に挿入した後、払戻金額の全額を集計カードに集計するか否かを選択する画面である。発払装置３００は、利用者から全額確認画面５０２において「はい」の選択（全額を集計する旨の選択）を受け付けた場合、払戻金額の全額を集計カードの記憶部に記憶することで集計する。また、発払装置３００は、利用者から全額確認画面５０２において「いいえ」の選択（集計金額を指定する旨の選択）を受け付けた場合、次に金額指定画面５０３を表示する。
【００６０】
なお、全額確認画面５０２には、「集計カードに「全額」集計しますか」というメッセージが表示されているが、「集計カードに払戻金の「全額」をチャージしますか」等の同様の意味の他のメッセージであってもよい。
【００６１】
図５（Ｃ）は、金額指定画面５０３の一例である。金額指定画面５０３は、利用者が的中券を発払装置３００に挿入した後、払戻金額のうち集計カードに集計する金額を指定する画面である。発払装置３００は、利用者から金額指定画面５０３において集計金額設定の領域に入力された金額と「金額確定」の選択を受け付けた場合、払戻金額のうち集計金額として設定された金額を集計カードの記憶部に記憶することで集計する。また、発払装置３００は、利用者から金額指定画面５０３において「訂正」の選択を受け付けた場合、訂正した金額を受け付ける。なお、発払装置３００は、利用者から金額指定画面５０３において集計金額設定の領域に入力された金額が「０円」である場合、集計カードに集計を行わないものとし、紙幣出入口３０４および硬貨出入口３０２を介して払戻金額の全額を現金で排出する。
【００６２】
なお、金額指定画面５０３においては、払戻金額のうち１０００円未満の金額（百の位、十の位、一の位の金額）が事前に入力されているが、利用者が表示されたテンキーボタンを押下することによって金額を指定することも可能である。なお、金額指定画面５０３において、集計金額設定の領域に１０００円未満の硬貨で支払となる金額が事前に入力（デフォルト入力）されるのは、利用者が受取る硬貨の量を少なくするためである。たとえば、払戻金額３２６０円のうち２６０円を集計金額として設定することにより、利用者は、紙幣（３０００円）のみを現金で受取り、硬貨（２６０円）を集計カードに集計（チャージ）することができる。これにより、発払装置３００は、払戻金額の全額を現金での返金を行う場合に比較して、利用者が所持する硬貨の量の低減を図ることができる。
【００６３】
なお、金額指定画面５０３には、「金額を指定してください」というメッセージが表示されているが、「集計カードにチャージする金額を指定してください」や「小銭のみチャージする場合は金額確定ボタンを押下してください」等の他のメッセージであってもよい。
【００６４】
図５（Ｄ）は、集計内容確認画面５０４の一例である。集計内容確認画面５０４は、利用者が、払戻金額のうち集計カードに集計する金額を指定した後、集計する金額を確認する画面である。集計内容確認画面５０４は、金額指定画面５０３の後に表示される画面である。
【００６５】
発払装置３００は、利用者から集計内容確認画面５０４において「集計」の選択を受け付けた場合、金額指定画面５０３で設定された集計金額を集計カードの記憶部に記憶することで集計する。言い換えると、発払装置３００は、払戻金額のうち金額指定画面５０３で指定された集計金額を集計カードにチャージし、残りの金額を現金で払い戻す。たとえば、発払装置３００は、払戻金額が「３２６０円」であり、集計金額が「２６０円」である場合、集計カードに「２６０円」をチャージし、現金で「３０００円」を払い戻す。
【００６６】
発払装置３００は、利用者から集計内容確認画面５０４において「訂正」の選択を受け付けた場合、金額指定画面５０３を再表示して集計金額の訂正を受け付ける。
なお、集計内容確認画面５０４は、「集計」ボタン、「訂正」ボタンの他に「取消」ボタンを備え、利用者から「取消」ボタンを押下する選択（指定した金額を集計カードに集計しない旨の選択）を受け付けた場合、払戻金額の全額を現金で返金する。なお、集計内容確認画面５０４における「取消」ボタンの記載は省略する。
【００６７】
次に、第２の実施形態の発払装置における表示画面および入場券について図６を用いて説明する。図６は、第２の実施形態の発払装置における表示画面および入場券の一例を示す図である。
【００６８】
発払装置３００は、ディスプレイ３０５に表示画面を表示する。発払装置３００は、タッチパネル３０６を介して利用者から入場券の購入の指示を受け付けた場合、利用者が所持する硬貨の量を減らすことができるよう、硬貨の投入を促す指示を画面に表示する。
【００６９】
図６（Ａ）は、百円投入指示画面５０５の一例である。百円投入指示画面５０５は、利用者が集計カードを用いて入場券１０枚の購入を発払装置３００に指示した後、ディスプレイ３０５に表示される画面である。発払装置３００は、硬貨出入口３０２を介して百円硬貨を受け付けた場合、受け付けた枚数に応じて百円投入指示画面５０５に表示する投入指示金額を減算する。たとえば、発払装置３００は、百円投入指示画面５０５を表示した状態において、百円硬貨１枚の投入を検知した場合、「あと６００円投入して下さい」を「あと５００円投入して下さい」と金額を１００円減額した変更を行った画面にして表示する。
【００７０】
発払装置３００は、百円投入指示画面５０５を表示した状態においてタッチパネル３０６を介して「取消」の選択を受け付けた場合、硬貨投入指示を中止し、画面で指示した金額に到達しない状態で集計カードを排出する。
【００７１】
なお、百円投入指示画面５０５は、集計カードのチャージ金額９００円と入場券１０枚とを交換する前提で、百の位の金額が９００円に達するように百円硬貨の投入を促す一例であり、チャージ金額や入場券金額に応じて硬貨の投入指示を変更できる。たとえば、百円投入指示画面５０５は、入場券の金額が千円未満かつ百円以上であり、百円単位の金額であるため、利用者に対して百円硬貨を投入する指示を表示するが、入場券の金額に応じて表示を変更できる。たとえば、入場券の金額が５０円単位であり、発払装置３００が５０円硬貨の受け付けが可能である場合、発払装置３００は、利用者に対して５０円硬貨の投入を指示する画面を表示してもよい。なお、以下の説明においても同様とする。
【００７２】
図６（Ｂ）は、十円投入指示画面５０６の一例である。十円投入指示画面５０６は、利用者が集計カードを用いて入場券１枚の購入を発払装置３００に指示した後、ディスプレイ３０５に表示される画面である。発払装置３００は、硬貨出入口３０２を介して十円硬貨を受け付けた場合、受け付けた枚数に応じて十円投入指示画面５０６に表示する投入指示金額を減算する。たとえば、発払装置３００は、十円投入指示画面５０６を表示した状態において、十円硬貨１枚の投入を検知した場合、「あと７０円投入して下さい」を「あと６０円投入して下さい」と金額を１０円減額した変更を行った画面を表示する。
【００７３】
発払装置３００は、十円投入指示画面５０６を表示した状態においてタッチパネル３０６を介して「取消」の選択を受け付けた場合、硬貨投入指示を中止し、画面で指示した金額に到達しない状態で集計カードを排出する。
【００７４】
なお、十円投入指示画面５０６は、集計カードのチャージ金額９０円と入場券１枚とを交換する前提で、十の位の金額が９０円に達するように十円硬貨の投入を促す一例であり、チャージ金額や入場券金額に応じて硬貨の投入指示を変更できる。なお、以下の説明においても同様とする。
【００７５】
図６（Ｃ）は、交換内容確認画面５０７の一例である。交換内容確認画面５０７は、利用者が硬貨を投入した後、交換する入場券の枚数と投入した金額を確認する画面である。交換内容確認画面５０７は、百円投入指示画面５０５または十円投入指示画面５０６が表示された後、ディスプレイ３０５に表示される画面である。
【００７６】
発払装置３００は、利用者から交換内容確認画面５０７において「交換」の選択を受け付けた場合、表示された交換内容（投入金額と入場券枚数）を記憶部に記憶し、入場券を印刷して排出し、集計カードのチャージ金額から交換金額を減算する。また、発払装置３００は、利用者から交換内容確認画面５０７において「取消」の選択を受け付けた場合、集計カードのチャージ金額と入場券との交換を行わず集計カードを排出する。
【００７７】
図６（Ｄ）は、入場券印刷例５０８の一例である。入場券印刷例５０８は、発払装置３００が印刷および排出する入場券の一例である。発払装置３００は、入場券に、場名、有効期限、入場券金額等を印刷するが、これらは一例であり、その他の情報を印刷してもよい。
【００７８】
次に、第２の実施形態の払戻金集計処理について図７および図８を用いて説明する。図７は、第２の実施形態の払戻金集計処理のフローチャートの一例を示す図である（その１）。図８は、第２の実施形態の払戻金集計処理のフローチャートの一例を示す図である（その２）。
【００７９】
払戻金集計処理は、発払装置３００が、利用者から的中した投票券（的中券）を受け付け、的中金額やタッチパネル３０６からの入力に基づき払い戻しや集計カードの集計を行う処理である。
【００８０】
発払装置３００の制御部３１０は、利用者から的中券の挿入を受け付け、払戻金集計処理を制御する。なお、発払装置３００は、ホストコンピュータ２００から払戻金額の計算に必要なレース情報やオッズ情報を取得するが、説明を省略する。
【００８１】
［ステップＳ１１］制御部３１０は、的中券挿入口３０８に挿入された的中券を受け付け、的中券読取ユニット３２７で的中券を読み取る。また、制御部３１０は、的中券に記載された情報とホストコンピュータ２００から取得した情報に基づき、挿入された的中券に対する払戻金額を算出する。
【００８２】
［ステップＳ１２］制御部３１０は、払戻金額の百と十の位が「０」であるか否かを判定する。制御部３１０は、払戻金額の百と十の位が「０」でない場合、ステップＳ１３にすすむ。制御部３１０は、払戻金額の百と十の位が「０」である場合、ステップＳ２０にすすむ。
【００８３】
［ステップＳ１３］制御部３１０は、ディスプレイ３０５に集計選択画面５０１を表示する。制御部３１０は、集計選択画面５０１を表示することにより、払戻金額を集計カードに集計するか否かの選択を利用者に促す。
【００８４】
［ステップＳ１４］制御部３１０は、タッチパネル３０６を介して集計カードに集計するか否かの選択を受け付け、集計する旨の選択を受け付けた場合はステップＳ１５にすすみ、集計しない旨の選択を受け付けた場合はステップＳ２０にすすむ。
【００８５】
［ステップＳ１５］制御部３１０は、集計カード読取部３０７を介して集計カードを受け付け、集計カード読取ユニット３２６で集計カードに記憶された金額を読み取る。
［ステップＳ１６］制御部３１０は、ディスプレイ３０５に全額確認画面５０２を表示する。制御部３１０は、全額確認画面５０２を表示することにより、払戻金額のうち全額を集計カードに集計するか否かの選択を利用者に促す。
【００８６】
［ステップＳ１７］制御部３１０は、タッチパネル３０６を介して払戻金額のうち全額を集計カードに集計する旨の選択を受け付けた場合はステップＳ１９にすすみ、集計金額を指定する旨の選択を受け付けた場合はステップＳ１８にすすむ。
【００８７】
［ステップＳ１８］制御部３１０は、ディスプレイ３０５に金額指定画面５０３を表示し、集計金額の指定を受け付ける。制御部３１０は、金額指定画面５０３を表示することにより、払戻金額のうち集計カードに集計する金額の指定を利用者に促す。
【００８８】
［ステップＳ１９］制御部３１０は、ディスプレイ３０５に集計内容確認画面５０４を表示する。制御部３１０は、集計内容確認画面５０４を表示することにより、集計内容の確認を利用者に促す。
【００８９】
［ステップＳ２０］制御部３１０は、通常の払戻処理を行う。言い換えると、制御部３１０は、払戻金を集計カードに集計せず、紙幣還流ユニット３２１および硬貨還流ユニット３２２を介して紙幣出入口３０４および硬貨出入口３０２から払戻金を現金で排出することで払戻処理を行う。制御部３１０は、通常の払戻処理を行い、ステップＳ３７にすすむ。
【００９０】
［ステップＳ２１］制御部３１０は、タッチパネル３０６を介して設定した金額を集計カードに集計するか否かの選択を受け付ける。具体的には、制御部３１０は、ディスプレイ３０５に表示した集計内容確認画面５０４において、タッチパネル３０６を介して「集計」または「取消」のいずれかの選択を受け付ける。制御部３１０は、設定した金額を集計カードに集計しない旨の選択（「取消」の選択）を受け付けた場合、ステップＳ２２にすすむ。制御部３１０は、設定した金額を集計カードに集計する旨の選択（「集計」の選択）を受け付けた場合、ステップＳ２３にすすむ。
【００９１】
なお、設定した金額（設定金額）とは、ステップＳ１７で全額を集計する旨の選択を受け付けた場合は払戻金額の全額であり、ステップＳ１８で集計金額の指定を受け付けた場合は、払戻金額のうち指定した集計金額である。
【００９２】
［ステップＳ２２］制御部３１０は、通常の払戻処理を行う。本処理は、ステップＳ２０と同様のため説明を省略する。制御部３１０は、通常の払戻処理を行い、ステップＳ３７にすすむ。
【００９３】
［ステップＳ２３］制御部３１０は、設定した金額と集計カードに記憶されていた金額とを合算した金額を集計カードの記憶部に記憶する。言い換えると、制御部３１０は、ステップＳ１７で払戻金額の全額を集計する旨の選択を受け付けた場合、払戻金額の全額とステップＳ１５において集計カードから読み取った金額とを合算した金額を集計カードのチャージ金額とする。また、制御部３１０は、ステップＳ１８で集計金額を受け付けた場合、ステップＳ１８で受け付けた集計金額とステップＳ１５において集計カードから読み取った金額とを合算した金額を集計カードのチャージ金額（集計カード内金額）とする。
【００９４】
［ステップＳ２４］制御部３１０は、ディスプレイ３０５に集計カードを用いて入場券を発券するか否かを問い合わせる画面を表示し、タッチパネル３０６を介して入場券を発券するか否かの選択を受け付ける。制御部３１０は、入場券を発券する選択を受け付けた場合はステップＳ２５にすすみ、入場券を発券しない選択を受け付けた場合はステップＳ２６にすすむ。
【００９５】
［ステップＳ２５］制御部３１０は、集計カードに記憶した金額の百と十の位に「９」が含まれるか否かを判定する。制御部３１０は、記憶した金額の百と十の位に「９」が含まれる場合はステップＳ２７にすすみ、含まれない場合はステップＳ２８にすすむ。
【００９６】
なお、ステップＳ２５において、記憶した金額の百と十の位に「９」が含まれるか否かを判定する理由は、入場券の金額が「１０枚で９００円」、「１枚で９０円」であるためである。言い換えると、本ステップは、集計カードに記憶した金額（集計カード内金額）と入場券の金額との差額があるか否かを判定する処理である。本ステップで判定する数字および位は、入場券金額管理情報４００に登録された金額に応じて変更することが可能である。
【００９７】
［ステップＳ２６］制御部３１０は、「払戻金額−設定金額」で算出される金額の現金の払戻処理を行う。言い換えると、制御部３１０は、紙幣還流ユニット３２１および硬貨還流ユニット３２２を介して紙幣出入口３０４および硬貨出入口３０２から払戻金額と設定金額との差額を現金で排出することで「払戻金額から設定金額を引いた金額」の払戻処理を行う。制御部３１０は「払戻金額−設定金額」で算出される金額の払戻処理を行い、ステップＳ３７にすすむ。
【００９８】
［ステップＳ２７］制御部３１０は、同額硬貨入場券交換処理を実行する。同額硬貨入場券交換処理は、発払装置３００が利用者に対し、集計カードに記憶された金額のうち「９００円」または「９０円」について同額の入場券との交換を確認する処理である。同額硬貨入場券交換処理は、後で図９を用いて説明する。
【００９９】
［ステップＳ２８］制御部３１０は、ディスプレイ３０５に硬貨を投入するか否かを表示し、硬貨の投入を受け付けない場合はステップＳ２９にすすみ、硬貨の投入を受け付けた場合はステップＳ３０にすすむ。
【０１００】
［ステップＳ２９］制御部３１０は、集計カードに記憶された金額と入場券との交換が確定したか否かを判定する。制御部３１０は、入場券の交換が確定した場合はステップＳ３１にすすみ、入場券の交換が確定していない場合はステップＳ３６にすすむ。
【０１０１】
［ステップＳ３０］制御部３１０は、硬貨出入口３０２に投入された硬貨を受け付け、硬貨還流ユニット３２２で投入された硬貨の金額を読み取り、集計カードに記憶された集計カード内金額に合算して記憶する。
【０１０２】
［ステップＳ３１］制御部３１０は、投入された硬貨の金額が入場券の金額以上（たとえば、９０円以上）であるか否かを判定する。制御部３１０は、投入された硬貨の金額が入場券の金額以上である場合はステップＳ３２にすすみ、そうでない場合はステップＳ２５にもどる。
【０１０３】
なお、制御部３１０は、硬貨が複数回投入され、ステップＳ３０が複数回実行された場合、ステップＳ３１における投入された硬貨の金額は、ステップＳ３０で受け付けた複数枚の硬貨の合計金額であるものとする。
【０１０４】
［ステップＳ３２］制御部３１０は、ディスプレイ３０５に集計カード内金額を表示するとともに入場券との交換を行うか否かを表示し、タッチパネル３０６を介して利用者から集計カード内金額と入場券と交換するか否かの指示を受け付ける。
【０１０５】
本ステップは、集計カードに記憶した金額（集計カード内金額）と入場券の金額との差額があり、硬貨の投入を受け付けた場合、投入された硬貨の金額を集計カード内金額に合算し、集計カード内金額と入場券との交換を促す処理である。
【０１０６】
制御部３１０は、利用者から入場券との交換指示を受け付けた場合、入場券の交換枚数を記憶しステップＳ２５にもどる。制御部３１０は、利用者から入場券との交換指示を受け付けない場合、入場券の交換枚数を記憶せずステップＳ２５にもどる。
【０１０７】
［ステップＳ３３］制御部３１０は、ディスプレイ３０５に確定した入場券の発券を実行するか否かを表示し、タッチパネル３０６を介して利用者から確定した入場券の発券を実行するか否かの指示を受け付ける。制御部３１０は、利用者から入場券の発券を実行する旨の指示を受け付けた場合はステップＳ３４にすすみ、入場券の発券を実行しない旨の指示を受け付けた場合はステップＳ３６にすすむ。
【０１０８】
［ステップＳ３４］制御部３１０は、「払戻金額−設定金額−交換金額＋投入後未交換金額」で算出される金額の現金の払戻処理を行う。具体的には、制御部３１０は、払戻金額から設定金額および交換金額を減算し、投入後未交換金額を加算した金額を現金で払い戻す。
【０１０９】
交換金額とは、入場券と交換した金額である。具体的には、交換金額は、ステップＳ２７の同額硬貨入場券交換処理において入場券と交換する金額として確定した金額と、ステップＳ３２において入場券と交換する金額として確定した金額の合計金額である。
【０１１０】
投入後未交換金額とは、ステップＳ２８で投入された硬貨の金額のうち入場券と未交換の金額である。たとえば、制御部３１０は、ステップＳ２８で１００円硬貨が投入され、ステップＳ３０で１００円が集計カード内金額に合算して記憶され、ステップＳ３２で入場券１枚と集計カード内金額９０円との交換を確定させた場合、投入後未交換金額は１０円として求める。
【０１１１】
［ステップＳ３５］制御部３１０は、交換が確定した入場券の枚数分の入場券を券／レシート印刷ユニット３２３で印刷し、印刷した入場券を券／レシート排出口３０３から発券する。
【０１１２】
［ステップＳ３６］制御部３１０は、「払戻金額−設定金額＋投入後未交換金額」で算出される金額の現金の払戻処理を行う。具体的には、制御部３１０は、払戻金額から設定金額を減算し、投入後未交換金額を加算した金額を現金で払い戻す。
【０１１３】
［ステップＳ３７］制御部３１０は、集計カードを集計カード読取部３０７から排出して返却し、払戻金集計処理を終了する。
次に、第２の実施形態の同額硬貨入場券交換処理について図９を用いて説明する。図９は、第２の実施形態の同額硬貨入場券交換処理のフローチャートの一例を示す図である。
【０１１４】
同額硬貨入場券交換処理は、発払装置３００が利用者に対し、集計カードに記憶された金額のうち「９００円」または「９０円」について同額の入場券との交換を確認する処理である。投票画面受付処理は、払戻金集計処理のステップＳ２７で発払装置３００の制御部３１０が実行する処理である。
【０１１５】
［ステップＳ４１］制御部３１０は、集計カードに記憶した金額（集計カード内金額）の「９」が含まれる位が十の位、百の位、十および百の位のいずれかであるかを判定する。制御部３１０は、集計カード内金額の「９」が含まれる位が、十の位である場合はステップＳ４２にすすみ、百の位である場合はステップＳ４４にすすみ、十および百の位である場合はステップＳ４６にすすむ。
【０１１６】
［ステップＳ４２］制御部３１０は、ディスプレイ３０５に集計カード内金額の９０円と入場券１枚とを交換するか否かを表示し、タッチパネル３０６を介して利用者から交換するか否かの選択を受け付ける。制御部３１０は、交換する旨の選択を受け付けた場合はステップＳ４３にすすみ、交換しない旨の選択を受け付けた場合は同額硬貨入場券交換処理を終了する。
【０１１７】
［ステップＳ４３］制御部３１０は、集計カード内金額のうち９０円と入場券１枚とを交換する旨を確定し、ＨＤＤ３１３やＲＡＭ３１２等の記憶部に記憶し、同額硬貨入場券交換処理を終了する。
【０１１８】
［ステップＳ４４］制御部３１０は、ディスプレイ３０５に集計カード内金額の９００円と入場券１０枚とを交換するか否かを表示し、タッチパネル３０６を介して利用者から交換するか否かの選択を受け付ける。制御部３１０は、交換する旨の選択を受け付けた場合はステップＳ４５にすすみ、交換しない旨の選択を受け付けた場合は同額硬貨入場券交換処理を終了する。
【０１１９】
［ステップＳ４５］制御部３１０は、集計カード内金額のうち９００円と入場券１０枚とを交換する旨を確定し、ＨＤＤ３１３やＲＡＭ３１２等の記憶部に記憶し、同額硬貨入場券交換処理を終了する。
【０１２０】
［ステップＳ４６］制御部３１０は、ディスプレイ３０５に集計カード内金額の９０円と入場券１枚とを交換するか否かを表示し、タッチパネル３０６を介して利用者から交換するか否かの選択を受け付ける。制御部３１０は、交換する旨の選択を受け付けた場合はステップＳ４７にすすみ、交換しない旨の選択を受け付けた場合はステップＳ４８にすすむ。
【０１２１】
［ステップＳ４７］制御部３１０は、集計カード内金額のうち９０円と入場券１枚とを交換する旨を確定し、ＨＤＤ３１３やＲＡＭ３１２等の記憶部に記憶する。
［ステップＳ４８］制御部３１０は、ディスプレイ３０５に集計カード内金額の９００円と入場券１０枚とを交換するか否かを表示し、タッチパネル３０６を介して利用者から交換するか否かの選択を受け付ける。制御部３１０は、交換する旨の選択を受け付けた場合はステップＳ４９にすすみ、交換しない旨の選択を受け付けた場合は同額硬貨入場券交換処理を終了する。
【０１２２】
［ステップＳ４９］制御部３１０は、集計カード内金額のうち９００円と入場券１０枚とを交換する旨を確定し、ＨＤＤ３１３やＲＡＭ３１２等の記憶部に記憶し、同額硬貨入場券交換処理を終了する。
【０１２３】
このように、制御部３１０は、集計カード内金額のうち千円未満の金額と入場券の金額との差額がある場合は硬貨の投入を促し、差額が無い場合は同額と入場券との交換を促す。制御部３１０は、利用者に対して発払装置３００に硬貨の投入を促すことで、利用者が所持する硬貨の量を削減するよう図ることができる。また、制御部３１０は、入場券の販売を促進することにより、利用者の再度の入場を促進することができる。また、制御部３１０は、集計カード内金額に払い戻し金額や投入された硬貨の金額を合算することにより、集計カード内金額を増額することで、利用者に対し再度の投票参加を促進させ、利用者のリピート率向上を図ることができる。
【０１２４】
次に、第２の実施形態の入場券交換処理について図１０を用いて説明する。図１０は、第２の実施形態の入場券交換処理のフローチャートの一例を示す図である。
入場券交換処理は、発払装置３００が、利用者から集計カードを受け付け、条件に応じて硬貨の投入を受け付け、入場券の発券を行う処理である。発払装置３００の制御部３１０は、集計カード読取部３０７を介して利用者から集計カードの挿入を受け付け、入場券交換処理を制御する。
【０１２５】
［ステップＳ５１］制御部３１０は、集計カードに記憶された集計カード内金額を読み取り、ディスプレイ３０５に集計カード内金額と入場券とを交換するか否かを表示し、タッチパネル３０６を介して利用者から交換するか否かの選択を受け付ける。
【０１２６】
制御部３１０は、集計カード内金額と入場券とを交換する旨の選択を受け付けた場合はステップＳ５２にすすみ、そうでない場合はステップＳ６６にすすむ。
［ステップＳ５２］制御部３１０は、集計カード内金額が９００円以上か否かを判定する。制御部３１０は、集計カード内金額が９００円以上である場合はステップＳ５３にすすみ、そうでない場合はステップＳ５５にすすむ。
【０１２７】
［ステップＳ５３］制御部３１０は、ディスプレイ３０５に集計カード内金額９００円と入場券１０枚とを交換するか否かを表示し、タッチパネル３０６を介して利用者から交換するか否かの選択を受け付ける。
【０１２８】
制御部３１０は、集計カード内金額９００円と入場券１０枚とを交換する旨の選択を受け付けた場合はステップＳ５４にすすみ、そうでない場合はステップＳ５８にすすむ。
［ステップＳ５４］制御部３１０は、集計カード内金額９００円と入場券１０枚との交換を確定し、その旨を記憶部に記憶する。
【０１２９】
［ステップＳ５５］制御部３１０は、ディスプレイ３０５に集計カード内金額が９００円になるよう百円硬貨を投入するか否かを表示し、タッチパネル３０６を介して利用者から百円硬貨を投入するか否かの選択を受け付ける。
【０１３０】
制御部３１０は、百円硬貨を投入する旨の選択を受け付けた場合はステップＳ５６にすすみ、そうでない場合はステップＳ５８にすすむ。
［ステップＳ５６］制御部３１０は、ディスプレイ３０５に百円投入指示画面５０５を表示する。制御部３１０は、百円投入指示画面５０５を表示することにより、利用者に百円硬貨の投入を促す。
【０１３１】
［ステップＳ５７］制御部３１０は、硬貨出入口３０２に投入された百円硬貨を受け付け、硬貨還流ユニット３２２で投入された硬貨の金額を読み取り、集計カードに記憶された集計カード内金額に合算して記憶する。
【０１３２】
［ステップＳ５８］制御部３１０は、集計カード内金額が９０円以上か否かを判定する。制御部３１０は、集計カード内金額が９０円以上である場合はステップＳ５９にすすみ、そうでない場合はステップＳ６１にすすむ。
【０１３３】
［ステップＳ５９］制御部３１０は、ディスプレイ３０５に集計カード内金額９０円と入場券１枚とを交換するか否かを表示し、タッチパネル３０６を介して利用者から交換するか否かの選択を受け付ける。
【０１３４】
制御部３１０は、集計カード内金額９０円と入場券１枚とを交換する旨の選択を受け付けた場合はステップＳ６０にすすみ、そうでない場合はステップＳ６４にすすむ。
［ステップＳ６０］制御部３１０は、集計カード内金額９０円と入場券１枚との交換を確定し、その旨を記憶部に記憶する。
【０１３５】
［ステップＳ６１］制御部３１０は、ディスプレイ３０５に集計カード内金額が９０円になるよう十円硬貨を投入するか否かを表示し、タッチパネル３０６を介して利用者から十円硬貨を投入するか否かの選択を受け付ける。
【０１３６】
制御部３１０は、十円硬貨を投入する旨の選択を受け付けた場合はステップＳ６２にすすみ、そうでない場合はステップＳ６４にすすむ。
［ステップＳ６２］制御部３１０は、ディスプレイ３０５に十円投入指示画面５０６を表示する。制御部３１０は、十円投入指示画面５０６を表示することにより、利用者に十円硬貨の投入を促す。
【０１３７】
［ステップＳ６３］制御部３１０は、硬貨出入口３０２に投入された十円硬貨を受け付け、硬貨還流ユニット３２２で投入された硬貨の金額を読み取り、集計カードに記憶された集計カード内金額に合算して記憶する。
【０１３８】
［ステップＳ６４］制御部３１０は、ディスプレイ３０５に確定した入場券の発券を実行するか否かを表示し、タッチパネル３０６を介して利用者から確定した入場券の発券を実行するか否かの指示を受け付ける。制御部３１０は、利用者から入場券の発券を実行する旨の指示を受け付けた場合はステップＳ６５にすすみ、入場券の発券を実行しない旨の指示を受け付けた場合はステップＳ６６にすすむ。
【０１３９】
［ステップＳ６５］制御部３１０は、交換が確定した入場券の枚数分の入場券を券／レシート印刷ユニット３２３で印刷し、印刷した入場券を券／レシート排出口３０３から発券する。
【０１４０】
［ステップＳ６６］制御部３１０は、集計カードを集計カード読取部３０７から排出して返却し、入場券交換処理を終了する。
このように、制御部３１０は、集計カード内金額のうち千円未満の金額と入場券の金額との差額がある場合は硬貨の投入を促し、差額が無い場合は入場券との交換を促す。制御部３１０は、入場券の金額が百円未満である場合、集計カード内金額の百円未満の金額と入場券との差額分の十円硬貨を投入する指示をディスプレイ３０５に表示させ、利用者に十円硬貨の投入を促す。制御部３１０は、入場券の金額が千円未満かつ百円以上かつ百円単位の金額である場合、集計カード内金額の千円未満かつ百円以上の金額と入場券との差額分の百円硬貨を投入する指示をディスプレイ３０５に表示させ、利用者に百円硬貨の投入を促す。制御部３１０は、硬貨を発払装置３００に投入することを利用者に促すことで、利用者が所持する硬貨の量を削減するよう図ることができる。また、制御部３１０は、入場券の販売を促進することにより、利用者の再度の入場を促進することができる。また、制御部３１０は、投入された硬貨の金額を集計カード内金額に合算することにより、集計カード内金額を増額することで、利用者に対し再度の投票参加を促進させ、利用者のリピート率向上を図ることができる。
【０１４１】
こうして、発払装置３００は、公営競技において利用者が所持する硬貨の量の削減を図ることができる。
なお、上記の処理機能は、コンピュータによって実現することができる。その場合、発払装置１０，３００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ（Compact Disc - Read Only Memory）／ＲＷ（ReWritable）等がある。光磁気記録媒体には、ＭＯ（Magneto-Optical disk）等がある。
【０１４２】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１４３】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１４４】
また、上記の処理機能の少なくとも一部を、ＤＳＰ、ＡＳＩＣ、ＰＬＤ等の電子回路で実現することもできる。
なお、本実施の形態で説明した発払装置は一例であり、有人・無人の現金による発券機／発払機や会員カード等を用いてキャッシュレスで投票が可能なキャッシュレス端末等も含まれる。投票カードを用いて投票が可能な装置全般を含む。また、その他の発売機・発券機にも応用が可能である。
【０１４５】
また、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１４６】
１０，３００  発払装置
１１  制御部
１２  券受付部
１３  媒体受付部
１４  現金処理部
１５  表示受付部
１６  入場券処理部
１７  記憶部
２０  的中投票券
３０  電子通貨記録媒体
１００  投票システム
２００  ホストコンピュータ
２５０  ネットワーク
３０１  投票カード出入口
３０２  硬貨出入口
３０３  券／レシート排出口
３０４  紙幣出入口
３０５  ディスプレイ
３０６  タッチパネル
３０７  集計カード読取部
３０８  的中券挿入口
【図１】
2020052877.tif 000003
【図２】
2020052877.tif 000004
【図３】
2020052877.tif 000005
【図４】
2020052877.tif 000006
【図５】
2020052877.tif 000007
【図６】
2020052877.tif 000008
【図７】
2020052877.tif 000009
【図８】
2020052877.tif 000010
【図９】
2020052877.tif 000011
【図１０】
2020052877.tif 000012